(57)【要約】      （修正有）【課題】複数のカップ状容器を保持した状態で持ち上げた場合であっても、保持したカップ状容器間において天板部が折れ曲がることがないカップ状容器保持具を提供する。【解決手段】保持具１０は、一枚の厚紙で、長方形に形成された天板部１１と、上記天板部の一対の長辺部１２の両側端部に連設された側板部１３とを有し、上記側板部は上記長辺部に沿って形成される折曲げ部を介して上記天板部に対して略直角に折り曲げて配置される。さらに、上記長辺部には、上面部にフランジ部１７が設けられたカップ状容器１８の上記フランジ部を差し込むことができる一対の切込み部１９を複数形成し、上記フランジ部を差し込むことにより、上記フランジ部が上記切込み部から外方へ突出した状態で複数の上記カップ状容器を保持する。上記一対の切込み部は、複数の上記カップ状容器を保持した場合に、隣接する上記カップ状容器のフランジ部が互いに重なるよう、所定間隔離間して複数形成する。【選択図】図２
0003175050.tif 000002
【実用新案登録請求の範囲】
【請求項１】
一枚の厚紙により形成され、長方形に形成された天板部と、上記天板部の一対の長辺部の両側端部に連設された側板部とを有し、上記側板部は上記長辺部に沿って形成される折曲げ部を介して上記天板部に対して略直角に折り曲げて配置されると共に、上記長辺部には、上面部にフランジ部が設けられたカップ状容器の上記フランジ部を差し込むことができる一対の切込み部が複数形成され、上記切込み部に上記フランジ部を差し込むことにより、上記フランジ部が上記切込み部から外方へ突出した状態で複数の上記カップ状容器を保持することが可能なカップ状容器保持具であって、
上記一対の切込み部は、複数の上記カップ状容器を保持した場合には、隣接する上記カップ状容器のフランジ部が互いに重なるよう、それぞれ長さ方向において所定間隔離間して複数形成されていることを特徴とするカップ状容器保持具。
【請求項２】
上記天板部には、上記切込み部の両端部がそれぞれ上記天板部内方へ切り込まれることにより形成され、上記カップ状容器を保持した場合に、側板部一般面から側方へ突出し、上記フランジ部を上方から被覆しうる被覆部が設けられていることを特徴とする請求項１に記載のカップ状容器保持具。
【請求項３】
上記天板部の幅寸法は、上記カップ状容器の幅寸法よりも僅かに小さく形成されていると共に、上記側板部には、上記切込み部から上記側板部の幅方向端部側へ切り込まれることにより形成され、上記カップ状容器を保持した場合に、上記カップ状容器の側面部が当接することにより上記側板部一般面から側方へ突出すると共に、上記フランジ部に下方から当接し、上記フランジ部を支持しうる支持部が設けられていることを特徴とする請求項２に記載のカップ状容器保持具。
【請求項４】
上記支持部の上記フランジ部との当接部は、波線状に切り込まれていることを特徴とする請求項３に記載のカップ状容器保持具。
【考案の詳細な説明】
【技術分野】
【０００１】
本考案は、カップ状容器の保持具に係り、特に、上面部にフランジ部が形成されたカップ状容器の保持具に関する。
【背景技術】
【０００２】
従来、上面部にフランジ部が形成された複数のカップ状容器を保持するための保持具として、特許文献１（実開昭５７−８０４５５号公報）に開示されたホルダーが知られている。
【０００３】
上記ホルダーは、天板と上記天板の両側に略台形の切込線を有する折線を介して連設された側板とを備え、上記略台形の切込線の中央付近には上記側板部から上記天版部側へ突出するように湾曲した支承部が形成されている。
【０００４】
したがって、上記側板を上記天板に対して折り曲げ、上記切込線により形成されたフランジ差込溝に、上記フランジ部を差し込んだ場合には、上記フランジ部が上記支承部により支持されることにより、上記カップ状容器は保持される。
【０００５】
しかしながら、上記ホルダーに複数のカップ状容器を保持した場合には、上記フランジ同士が離間した状態で上記カップ状容器は保持されることから、複数のカップ状容器が取り付けられた上記ホルダーを持ち上げた場合には、上記カップ状容器、および上記カップ状容器に梱包された内容物の重さにより、隣接する上記カップ状容器間において、上記天板部が折れ曲がれる可能性があった。
【０００６】
また、上記ホルダーに複数のペットフード等を収容したカップ状容器を取り付け、店頭に陳列して販売する場合に、例えば、販売員が誤って上記ホルダーを床へ落下させたような場合には、隣接する上記カップ状容器間において、上記天板部が折れ曲がれる可能性があった。
【０００７】
したがって、ペットフード等を収容したカップ状容器を複数個セットにし、商品として販売する場合、上記ホルダーを使用すると、店頭で客が上記ホルダーを手にした場合や、上記ホルダーが床へ落下した場合には、上記天板が隣接する上記カップ状容器間において折り曲がることにより、上記天板の一部に皺が残り、商品価値が下がってしまうことがあるという問題があった。
【特許文献１】実開昭５７−８０４５５号公報
【考案の開示】
【考案が解決しようとする課題】
【０００８】
そこで、本考案の課題は、複数のカップ状容器を保持した状態で持ち上げた場合や、店頭において誤って床へ落下させたような場合であっても、保持したカップ状容器間において天板部が折れ曲がることがないカップ状容器保持具を提供することにある。
【課題を解決するための手段】
【０００９】
上記課題を解決するために、請求項１の考案に係るカップ状容器保持具にあっては、一枚の厚紙により形成され、長方形に形成された天板部と、上記天板部の一対の長辺部の両側端部に連設された側板部とを有し、上記長辺部には、上記側板部を上記長辺部に沿って折り曲げ可能とする折曲げ部が形成されると共に、上面部にフランジ部が設けられたカップ状容器の上記フランジ部を差し込むことができる一対の切込み部が複数形成され、上記折曲げ部において上記側板部を上記天板部に対して略直角に折り曲げると共に、上記切込み部に上記フランジ部を差し込むことにより、上記フランジ部が上記切込み部から外方へ突出した状態で複数の上記カップ状容器を保持することが可能なカップ状容器保持具であって、上記一対の切込み部は、複数の上記カップ状容器を保持した場合には、隣接する上記カップ状容器のフランジ部が互いに重なるよう、それぞれ長さ方向において所定間隔離間して複数形成されていることを特徴とする。
【００１０】
したがって、上記一対の切込み部は、複数の上記カップ状容器を保持した場合には、隣接する上記カップ状容器のフランジ部が互いに重なるよう、それぞれ長さ方向において所定間隔離間して複数形成されていることから、上記フランジ部が互いに重なり合った状態で上記カップ状容器を保持できる。
【００１１】
請求項２の考案に係るカップ状容器保持具にあっては、上記天板部には、上記切込み部の両端部がそれぞれ上記天板部内方へ切り込まれることにより形成され、上記カップ状容器を保持した場合に、側板部一般面から側方へ突出し、上記フランジ部を上方から被覆しうる被覆部が設けられていることを特徴とする。
【００１２】
したがって、上記天板部には、上記切込み部の両端部がそれぞれ上記天板部内方へ切り込まれることにより形成され、上記カップ状容器を保持した場合に、側板部一般面から側方へ突出し、上記フランジ部を上方から被覆しうる被覆部が設けられていることから、上記カップ状容器を保持した場合には、上記フランジ部が上記被覆部により被覆される。
【００１３】
請求項３の考案に係るカップ状容器保持具にあっては、上記天板部の幅寸法は、上記カップ状容器の幅寸法よりも僅かに小さく形成されていると共に、上記側板部には、上記切込み部から上記側板部の幅方向端部側へ切り込まれることにより形成され、上記カップ状容器を保持した場合に、上記カップ状容器の側面部が当接することにより上記側板部一般面から側方へ突出すると共に、上記フランジ部に下方から当接し、上記フランジ部を支持しうる支持部が設けられていることを特徴とする。
【００１４】
したがって上記天板部の幅寸法は、上記カップ状容器の幅寸法よりも僅かに小さく形成されていると共に、上記側板部には、上記切込み部から上記側板部の幅方向端部側へ切り込まれることにより形成され、上記カップ状容器を保持した場合に、上記カップ状容器の側面部が当接することにより上記側板部一般面から側方へ突出すると共に、上記フランジ部に下方から当接し、上記フランジ部を支持しうる支持部が設けられていることから、上記側面部が上記支持部に当接すると共に、上記支持部が上記側板部一般面から側方へ突出し、上記フランジ部を下方から支持した状態で上記カップ状容器を保持することができる。
【００１５】
請求項４の考案に係るカップ状容器保持具にあっては、上記支持部の上記フランジ部との当接部は、波線状に切り込まれていることを特徴とする
【００１６】
したがって、上記支持部の上記フランジ部との当接部は、波線状に切り込まれていることから、波線状に切り込まれた上記当接部が上記フランジ部に下方から当接する。
【考案の効果】
【００１７】
請求項１の考案に係るカップ状容器保持具にあっては、上記フランジ部が互いに重なり合った状態で上記カップ状容器を保持できることから、誤って販売員等が商品を床などに落下させたような場合であっても、衝撃をカップ状容器そのものが受け止めるため、従来のように天板部に影響はなく、複数のカップ状容器を保持した状態で持ち上げた場合や、店頭において誤って床へ落下させたような場合であっても、保持したカップ状容器間において天板部が折れ曲がることがない。
【００１８】
また、請求項１の考案に係るカップ状容器保持具にあっては、上記フランジ部が互いに重なり合った状態で上記カップ状容器を保持できることから、重なり合った上記フランジ部の上方に配置された上記フランジ部は下方に配置された上記フランジ部により支持される。
【００１９】
したがって、一方の上記カップ状容器が他方の上記カップ状容器を支持した状態で保持することができることから、複数の上記カップ状容器を強固に保持することができ、その結果、商品としての強度が大きくなり、梱包時および搬送時における取り扱いが容易になる。
【００２０】
請求項２の考案に係るカップ状容器保持具にあっては、上記カップ状容器を保持した場合には、上記フランジ部が上記被覆部により被覆されることから、上記フランジ部が上記被覆部により上方から押圧され、その結果、上記カップ状容器をより強固に固定することができる。
【００２１】
請求項３の考案に係るカップ状容器保持具にあっては、請求項２記載の考案の効果に加えて、上記側面部が上記支持部に当接すると共に、上記支持部が上記側板部一般面から側方へ突出し、上記フランジ部を下方から支持した状態で上記カップ状容器を保持することができることから、上記カップ状容器の側面部が、上記支持部により側方から押圧されると共に、上記フランジ部は下方から上記支持部により押圧され、その結果、上記カップ状容器をさらに強固に固定することができる。
【００２２】
請求項４の考案に係るカップ状容器保持具にあっては、請求項３記載の考案の効果に加えて、波線状に切り込まれた上記当接部が上記フランジ部に下方から当接することから、上記フランジ部に下方から加わる圧力が大きくなり、上記カップ状容器をより強固に固定することができる。
【図面の簡単な説明】
【００２３】
【図１】本考案に係るカップ状容器保持具の一実施の形態におけるカップ状容器保持具を示す平面図である。
【図２】本考案に係るカップ状容器保持具の一実施の形態におけるカップ状容器保持具によりカップ状容器を保持した状態を示す斜視図である。
【図３】本考案に係るカップ状容器保持具の一実施の形態におけるカップ状容器保持具によりカップ状容器を保持した状態を示す側面図である。
【図４】本考案に係るカップ状容器保持具の一実施の形態におけるカップ状容器保持具によりカップ状容器を保持した状態を示す下面図である。
【考案を実施するための最良の形態】
【００２４】
以下、添付図面に示す実施の形態に基づき、本考案を詳細に説明する。
【００２５】
図１および図２に示すように、本実施の形態に係るカップ状容器保持具１０は、
一枚の厚紙により形成され、長方形に形成された天板部１１と、上記天板部１１の一対の長辺部１２の両側端部１３に連設された側板部１４とを有する。
【００２６】
また、上記側板部１４は上記長辺部１２に沿って形成される折曲げ部１５を介して上記天板部１１に対して略直角に折り曲げて配置されると共に、上記長辺部１２には、上面部１６にフランジ部１７が設けられたカップ状容器１８の上記フランジ部１７を差し込むことができる一対の切込み部１９が３対、計６か所に形成されている。
【００２７】
また、図２に示すように、上記切込み部１９に上記フランジ部１７を差し込むことにより、上記フランジ部１７が上記切込み部１９から外方へ突出した状態で３個の上記カップ状容器１８を保持することが可能である。
【００２８】
図４に示すように、上記一対の切込み部１９は、３個の上記カップ状容器１８を保持した場合には、隣接する上記カップ状容器１８のフランジ部１７が互いに重なるよう、それぞれ長さ方向において所定間隔離間して形成されている。
【００２９】
図１および図２に示すように、上記天板部１１には、上記切込み部１９の両端部２０が上記天板部１１内方へ切り込まれることにより形成され、図２および図３に示すように上記カップ状容器１８を保持した場合に、側板部一般面２１から側方へ突出し、上記フランジ部１７を上方から被覆しうる被覆部２２が設けられている。
【００３０】
また、上記天板部１１の幅寸法Ｌは、上記カップ状容器１８の幅寸法Ｌ１よりも僅かに小さく形成されていると共に、上記側板部１４には、上記切込み部１９から上記側板部１４の幅方向端部２３側へ切り込まれることにより形成され、上記カップ状容器を保持した場合に、上記カップ状容器１８の側面部２６が当接することにより上記側板部一般面２１から側方へ突出すると共に、上記フランジ部１７に下方から当接し、上記フランジ部１７を支持しうる支持部２４が設けられており、図１に示すように、上記支持部２４の上記フランジ部１７との当接部２５は、波線状に切り込まれている。
【００３１】
以下、本実施の形態に係るカップ状容器保持具１０の作用について説明する。
【００３２】
図４に示すように、上記一対の切込み部１９は、３個の上記カップ状容器１８を保持した場合には、隣接する上記カップ状容器１８のフランジ部１７が互いに重なるよう、それぞれ長さ方向において所定間隔離間して形成されていることから、上記フランジ部１７が互いに重なり合った状態で上記カップ状容器１８を保持できる。
【００３３】
したがって、誤って販売員等が商品を床などに落下させたような場合であっても、衝撃をカップ状容器１８そのものが受け止めるため、従来のように天板部１１に影響はなく、３個のカップ状容器１８を保持した状態で持ち上げた場合や、店頭において誤って床へ落下させたような場合であっても、保持したカップ状容器１８間において天板部１１が折れ曲がることがない。
【００３４】
また、重なり合った上記フランジ部１７の、上方に配置された上記フランジ部１７は下方に配置された上記フランジ部１７により支持される。
【００３５】
したがって、一方の上記カップ状容器１８が他方の上記カップ状容器１８を支持した状態で保持することができることから、３個の上記カップ状容器１８を強固に保持することができ、その結果、商品としての強度が大きくなり、梱包時および搬送時における取り扱いが容易になる。
【００３６】
図１および図３に示すように、上記天板部１１には、上記切込み部１９の両端部２０が上記長辺部１２から上記天板部１１内方へ切り込まれることにより形成され、上記カップ状容器１８を保持した場合に、側板部一般面２１から側方へ突出し、上記フランジ部１７を上方から被覆しうる被覆部２２が設けられていることから、図２および図３に示すように、上記カップ状容器１８を保持した場合には、上記フランジ部１７が上記被覆部２２により被覆される。
【００３７】
したがって、上記フランジ部１７が上記被覆部２２により押圧されることから、上記カップ状容器１８をさらに強固に固定することができる。
【００３８】
図４に示すように、上記天板部１１の幅寸法Ｌは、上記カップ状容器１８の幅寸法Ｌ１よりも僅かに小さく形成されていると共に、図１および図３に示すように、上記側板部１４には、上記切込み部１９から上記側板部１４の幅方向端部２３側へ切り込まれることにより形成され、上記カップ状容器１８を保持した場合に、上記カップ状容器１８の側面部２６が当接することにより上記側板部一般面２１から側方へ突出すると共に、上記フランジ部１７に下方から当接し、上記フランジ部１７を支持しうる支持部２４が設けられていることから、上記側面部２６が上記支持部２４に当接すると共に、上記支持部２４が上記側板部一般面２１から側方へ突出し、上記フランジ部１７を下方から支持した状態で上記カップ状容器１８を保持することができる。
【００３９】
したがって、上記カップ状容器１０の側面部２６が、上記支持部２４により側方から押圧されると共に、上記フランジ部１７は下方から上記支持部２４により押圧され、その結果、上記カップ状容器１８をさらに強固に固定することができる。
【００４０】
また、図１および図２に示すように、上記支持部２４の上記フランジ部との当接部２５は、波線状に切り込まれていることから、波線状に切り込まれた上記当接部２５が上記フランジ部１７に下方から当接する。
【００４１】
したがって、上記フランジ部１７に下方から加わる圧力が大きくなり、上記カップ状容器１８をさらに強固に固定することができる。
【産業上の利用可能性】
【００４２】
本考案は、上面にフランジ部を有するカップ状容器保持具に適用可能であり、産業上の利用可能性を有している。
【符号の説明】
【００４３】
１０  カップ状容器保持具
１１  天板部
１２  長辺部
１３  側端部
１４  側板部
１５  折曲げ部
１６  上面部
１７  フランジ部
１８  カップ状容器
１９  切込み部
２０  端部
２１  側板部一般面
２２  被覆部
２３  端部
２４  支持部
２５  当接部
２６  側面部
Ｌ    天板部の幅寸法
Ｌ１  カップ状容器の幅寸法
【図１】
0003175050.tif 000003
【図２】
0003175050.tif 000004
【図３】
0003175050.tif 000005
【図４】
0003175050.tif 000006